【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
複数の光学素子を有する光学素子アレイにおいて、
前記複数の光学素子は、第１方向に沿って配列し、前記複数の光学素子が配されたアレイ領域の中心から前記第１の方向に沿って第１の距離だけ離れて位置する第１の光学素子を含み、
前記第１の光学素子は、前記第１の方向と、前記第１の方向に直交する第２の方向を含む面に、底面を有し、
前記底面は、
前記第１の光学素子内の前記第１の方向における第１の位置にて、前記第２の方向に沿った第１の幅と、
前記第１の光学素子内の前記第１の方向における前記第１の位置よりも前記アレイ領域の中心から離れて位置する第２の位置にて、前記第２の方向に沿った、前記第１の幅よりも狭い第２の幅を有し、
前記第１の光学素子は、
前記第１の位置にて、前記第２の方向に沿った第１の断面をとった時に、第１の曲率半径と、前記第１の断面において最も高い第１の高さを有し、
前記第２の位置にて、前記第２の方向に沿った第２の断面をとった時に、前記第１の曲率半径よりも大きな第２の曲率半径と、前記第２の断面において最も高く、前記第１の高さよりも低い第２の高さを有することを特徴とする光学素子アレイ。
【請求項２】
前記第１の方向において、前記第１の光学素子は第１の長さを有し、
前記第１の方向において、前記第１の光学素子の前記アレイ領域の中心に最も近い部分は第３の位置にあり、前記第１の光学素子の前記アレイ領域の中心に最も遠い部分は第４の位置にあることを特徴とする請求項１に記載の光学素子アレイ。
【請求項３】
前記第１の方向において、前記第１の位置は前記第３の位置から前記第１の長さの半分より近い距離にあり、前記第２の位置は、前記第３の位置から前記第１の長さの半分以上の距離にある、若しくは、
前記第１の方向において、前記第１の位置は前記第３の位置から前記第１の長さの半分以下の距離にあり、前記第２の位置は、前記第３の位置から前記第１の長さの半分より離れた距離にあることを特徴とする請求項２に記載の光学素子アレイ。
【請求項４】
前記第１の方向において、前記底面は、第５の位置にて、前記第２の方向に沿った幅の中で最も広い幅を有し、
前記第１の方向において、前記第５の位置は、前記第３の位置から前記第１の長さの半分以上の位置であり、前記第１の位置と前記第２の位置の間の位置であることを特徴とする請求項２又は３に記載の光学素子アレイ。
【請求項５】
前記第１の方向と前記第２の方向を含む面において、前記底面は、前記第３の位置にて、前記第１の長さの半分よりも大きい第３の曲率半径を有することを特徴とする請求項２乃至４のいずれか１項に記載の光学素子アレイ。
【請求項６】
前記第１の方向と前記第２の方向を含む面において、前記底面は、前記第４の位置にて、前記第１の長さの半分よりも大きい第４の曲率半径を有することを特徴とする請求項２乃至５のいずれか１項に記載の光学素子アレイ。
【請求項７】
前記底面は、前記底面の外周を接して囲む矩形の面積に対して、８０％以上の面積を有することを特徴とする請求項１乃至６のいずれか１項に記載の光学素子アレイ。
【請求項８】
前記複数の光学素子は、前記アレイ領域の中心から前記第１の方向に沿って前記第１の距離より小さい第２の距離に位置する第２の光学素子を含み、
前記第２の光学素子は、前記第１の方向と、前記第１の方向に直交する第２の方向を含む面に、底面を有し、
前記第２の光学素子は、前記第１の方向における前記第２の光学素子の底面の中心にて、最も高い高さを有することを特徴とする請求項１乃至７のいずれか１項に記載の光学素子アレイ。
【請求項９】
前記第１の方向と前記第２の方向を含む面において、前記アレイ領域は、複数の区分から構成され、
前記複数の区分は、複数の前記第１の光学素子が設けられている第１の区分と、前記第１の区分よりも前記アレイ領域の中心に対して近い位置にあり、複数の前記第２の光学素子が設けられている第２の区分を含むことを特徴とする請求項８に記載の光学素子アレイ。
【請求項１０】
前記第１の方向と前記第２の方向を含む面において、前記第１の区分及び前記第２の区分は、前記第１の区分の前記第１の方向の長さが、前記第２の区分の前記第１の方向の長さよりも短いことを特徴とする請求項９に記載の光学素子アレイ。
【請求項１１】
前記第１の方向と前記第２の方向を含む面において、前記第１の区分及び前記第２の区分は、同心円形状を有することを特徴とする請求項１０に記載の光学素子アレイ。
【請求項１２】
前記第１の方向と前記第２の方向を含む面において、前記第１の区分及び前記第２の区分は、帯形状を有することを特徴とする請求項９に記載の光学素子アレイ。
【請求項１３】
前記第１の方向と前記第２の方向を含む面において、前記第１の区分と前記第２の区分は、前記第１の区分と前記第２の区分の境界に、緩衝領域を有し、
前記緩衝領域には、前記第１の光学素子と前記第２の光学素子が設けられていることを特徴とする請求項９乃至１２のいずれか１項に記載の光学素子アレイ。
【請求項１４】
前記第２の光学素子の体積に対する前記第１の光学素子の体積の比は、９５％以上１０５％以下であることを特徴とする請求項８乃至１３のいずれか１項に記載の光学素子アレイ。
【請求項１５】
前記複数の光学素子は、前記アレイ領域の中心から前記第１の方向に沿って前記第１の距離より大きい第３の距離だけ離れて位置する第３の光学素子を含み、
前記第１の光学素子は、前記第１の方向において、前記第１の光学素子の底面の中心から第４の距離だけ離れて位置する頂点を有し、
前記第３の光学素子は、前記第１の方向と前記第２の方向を有する面において、底面を有し、
前記第３の光学素子は、前記第１の方向において、前記第３の光学素子の底面の中心から前記第４の距離より大きな第５の距離だけ離れて位置する頂点を有することを特徴とする請求項２乃至１４のいずれか１項に記載の光学素子アレイ。
【請求項１６】
前記アレイ領域は、複数の区分により構成され、
前記複数の区分は、複数の前記第１の光学素子が設けられている第１の区分と、前記第１の区分よりも前記領域の中心から離れて位置し、複数の前記第３の光学素子が設けられている第３の区分を含むことを特徴とする請求項１５に記載の光学素子アレイ。
【請求項１７】
前記複数の光学素子は、更に、前記第２の方向に配されていることを特徴とする請求項１乃至１６のいずれか１項に記載の光学素子アレイ。
【請求項１８】
請求項１乃至１７のいずれか１項に記載の光学素子アレイと、
前記複数の光学素子のそれぞれに対応してそれぞれが設けられた複数の画素を有する固体撮像装置。
【請求項１９】
前記第１の方向において、前記複数の光学素子の中心の間隔と、前記複数の画素の中心の間隔が等しいことを特徴とする請求項１８に記載の固体撮像装置。
【請求項２０】
前記第１の方向において、前記複数の光学素子の中心の間隔と、前記複数の画素の中心の間隔が異なることを特徴とする請求項１８に記載の固体撮像装置。
【手続補正２】
【補正対象書類名】明細書
【補正対象項目名】００３２
【補正方法】変更
【補正の内容】
【００３２】
図３（ｃ）は、図３（ａ）の第２の位置Ｐ２における、第１の光学素子１１１のＹ軸方向に沿った断面３５１´を示した断面模式図である。図３（ｄ）は、図３（ｂ）の第２の位置Ｐ２における、比較用の光学素子３１１のＹ軸方向に沿った断面３５２´を示した断面模式図である。ここで、図３（ｃ）及び図３（ｄ）では、各光学素子による光の挙動を示すため、各底面から等しい距離に仮想の入射面３６１を設けている。いずれの光学素子にも等しい光３８０、３８１が入射するものとする。光学素子１１１は、第２の位置Ｐ２において、幅Ｗ２を有し、第１の位置Ｐ１における第１の曲率半径Ｒ１よりも大きな第２の曲率半径Ｒ２を有するため、光学素子１１１のレンズパワーは大きくはない。よって、光学素子１１１は、光３８１のほとんどを集光し、集光した光３８２を入射面３６１の適切な位置に集光することができる。一方、光学素子３１１は、第２の位置Ｐ２における幅Ｗ３０２が狭く、小さな曲率半径を有する。従って、光学素子３１１は、光３８１の一部しか集光できず、また、小さな曲率半径を有するため光学素子３１１において大きな屈折が起こり、光３８３は入射面３６１に対して大きな角度を有し、迷光となりうる。このように、光学素子１１１の形状によれば、従来の構造に比べて、集光能力を高め、面積占有率を高めることができるため、集光率を向上させることができる。
【手続補正３】
【補正対象書類名】図面
【補正対象項目名】図３
【補正方法】変更
【補正の内容】
【図３】
2015012488.tif 000001
【手続補正４】
【補正対象書類名】図面
【補正対象項目名】図４
【補正方法】変更
【補正の内容】
【図４】
2015012488.tif 000002